(57)【特許請求の範囲】
【請求項１】
再生トラックが形成されると共に、記録されている再生情報の再生のみが可能な再生専用領域と、
照射された再生パワーの光ビームに対する反射率を一回のみ変更可能な色素膜により、当該光ビームの照射方向に対して凸状の記録再生トラックが形成されており、当該記録再生トラックに対して記録再生情報の記録及び再生の双方が可能な記録再生領域と、を有し、
前記再生トラックは、
前記色素膜により前記記録再生トラックの高さと同一の高さにて形成された色素ピットが、前記再生情報に対応して前記照射方向に対して凸状に複数個並んで配置されることにより形成され、照射される前記再生パワーの光ビームに対する反射率を前記色素ピットの有無により変化させて前記再生情報を再生すると共に、前記再生専用領域に対して記録パワーの光ビームを照射することにより、前記色素ピットにおける前記再生パワーの光ビームの反射率を変更した状態にて前記再生情報が再生される色素記録媒体に記録されている前記再生情報を再生する情報再生装置であって、
前記再生情報の再生前に前記再生専用領域の全ての前記色素ピットに対して前記記録パワーの事前光ビームを照射し、夫々の前記色素ピットにおける前記反射率を変化させる事前光ビーム照射手段と、
前記反射率が変化した色素ピットに対して前記再生パワーの光ビームを照射する再生光ビーム照射手段と、
前記再生パワーの光ビームの前記再生トラックからの反射光を受光して受光信号を生成する受光手段と、
前記受光信号に基づいて前記再生情報を再生する再生手段と、
を備えることを特徴とする情報再生装置。
【請求項２】
請求項１に記載の情報再生装置において、
当該情報再生装置に装填された記録媒体が前記色素記録媒体か否かを判別する判別手段を更に有し、
前記事前光ビーム照射手段は、
前記装填された記録媒体が前記色素記録媒体であると前記判定手段によって判別された場合に、前記再生情報の再生前に前記色素ピットに対して前記記録パワーの事前光ビームを照射することを特徴とする情報再生装置。
【請求項３】
請求項１に記載の情報再生装置と、
前記記録再生トラックに対して、前記記録再生情報に対応して変調された、前記記録パワーの記録光ビームを照射し、当該記録光ビームが照射された位置における前記記録再生トラックの前記再生パワーの光ビームに対する反射率を変化させて前記記録再生情報を記録する記録光ビーム照射手段と、を備えることを特徴とする情報記録再生システム。
【請求項４】
再生トラックが形成されると共に、記録されている再生情報の再生のみが可能な再生専用領域と、
照射された再生パワーの光ビームに対する反射率を一回のみ変更可能な色素膜により、当該光ビームの照射方向に対して凸状の記録再生トラックが形成されており、当該記録再生トラックに対して記録再生情報の記録及び再生の双方が可能な記録再生領域と、を有し、
前記再生トラックは、
前記色素膜により前記記録再生トラックの高さと同一の高さにて形成された色素ピットが、前記再生情報に対応して前記照射方向に対して凸状に複数個並んで配置されることにより形成され、照射される前記再生パワーの光ビームに対する反射率を前記色素ピットの有無により変化させて前記再生情報を再生すると共に、前記再生専用領域に対して記録パワーの光ビームを照射することにより、前記色素ピットにおける前記再生パワーの光ビームの反射率を変更した状態にて前記再生情報が再生される色素記録媒体に記録されている前記再生情報を再生する情報再生方法であって、
前記再生情報の再生前に前記再生専用領域の全ての前記色素ピットに対して前記記録パワーの事前光ビームを照射し、夫々の前記色素ピットにおける前記反射率を変化させる事前光ビーム照射工程と、
前記反射率が変化した色素ピットに対して前記再生パワーの光ビームを照射する再生光ビーム照射工程と、
前記再生パワーの光ビームの前記再生トラックからの反射光を受光して受光信号を生成する受光工程と、
前記受光信号に基づいて前記再生情報を再生する再生工程と、
を備えることを特徴とする情報再生方法。
【発明の詳細な説明】
【０００１】
【発明の属する技術分野】
本発明は、情報の再生のみが可能な再生専用領域と、情報の記録再生の双方が可能な記録再生領域とを備えた、色素膜記録方式のいわゆるハイブリッドディスクの技術分野に属する。
【０００２】
【従来の技術】
従来、いわゆる位相ピットにより情報を記録した再生専用のＣＤ（Compact Disk）等の再生専用光ディスクが広く一般化している。そして、この再生専用光ディスクにおいては、再生時のＲＦ（Radio Frequency）信号のレベルを最大とするため、当該位相ピットの深さが、再生用の光ビーム（レーザ光）の波長λに対して、λ／４となるように形成されている。
【０００３】
一方、上記再生専用光ディスクと異なり、情報の記録が可能な光ディスクも一般化している。その中で、一回のみ情報の記録が可能な光ディスクとして、いわゆるＣＤ−Ｒ（CD-Recordable）等の追記型光ディスクが知られている。この追記型光ディスクにおいては、色素膜により記録層を形成し、これに記録すべき情報により強度変調された記録用の光ビームを照射して当該照射された部分の色素膜の反射率を変化させることにより情報を記録する構成が一般的である。そして、情報の再生時においては、この反射率の違いにより記録されている情報を再生する。
【０００４】
ここで、上記追記型光ディスクにおいては、その記録時には、記録すべき情報における“Ｈ”に相当するタイミングにおける光ビームを記録用強度とし、記録すべき情報における“Ｌ”に相当するタイミングにおける光ビームを上記記録用強度より弱い再生用強度とし、この記録用強度と再生用強度とを切り換えることにより色素膜の反射率を変化させて記録している。従って、記録用光ビームの強度を向上させる意味で出射される光ビームの利用効率は高い方がよい。
【０００５】
更に、追記型光ディスクにおける記録時には、情報を記録すべき記録トラック上に正しく光ビームを照射させつつ情報を記録するためのいわゆるトラッキング制御が必要である。そして、当該トラッキング制御の方法としては、従来から種々の方法が知られているが、追記型光ディスクに情報を記録する場合には、上記光ビームの利用効率の向上の観点から、一の光ビームを用いるいわゆるプッシュプル方式が取られるのが一般的である。そして、当該プッシュプル方式により出力されるトラッキング制御のためのトラッキングエラー信号のレベルを最大とするためには、追記型光ディスクにおける情報トラックの高さは光ビームの波長λに対してλ／８である必要がある。
【０００６】
従って、追記型光ディスクにおいては、情報再生時のことも考慮して実際の情報トラックの深さが上記波長λに対してλ／８とλ／４の間の所定値とされている。
【０００７】
【発明が解決しようとする課題】
ところで、近年の情報のマルチメディア化等を考慮すると、上記再生専用光ディスクと追記型光ディスクの双方の特性を兼備えた光ディスクがあれば更に利便性が向上するが、従来この類いの光ディスクは一般的には余り見られない。
【０００８】
また、従来の手法を単純に組み合わせて再生専用光ディスクと追記型光ディスクの双方の特性を兼備えた光ディスク（以下、ハイブリッドディスクという。）を構成しようとすると、再生専用領域のピットの深さは上記のようにλ／４とされ、一方で記録再生領域の情報トラックの深さはλ／８とλ／４の間の所定値とされることとなる。
【０００９】
ところが、現在の光ディスク製造技術においては、一枚の光ディスク内に異なった深さのピットと情報トラックとを混在させて形成することは、その歩留り等の観点から極めて困難であるという問題点があった。
【００１０】
そこで、本発明は上記の問題点に鑑みて為されたもので、その課題は、簡易な工程で製造可能な、再生専用領域と記録再生領域との双方を備えた色素記録媒体を提供すると共に、当該再生専用領域からの情報の再生を確実化することが可能なトラック形成装置並びに情報再生装置を提供することにある。
【００１２】
【課題を解決するための手段】
請求項１に記載の発明は、再生トラックが形成されると共に、記録されている再生情報の再生のみが可能な再生専用領域と、照射された再生パワーの光ビームに対する反射率を一回のみ変更可能な色素膜により、当該光ビームの照射方向に対して凸状の記録再生トラックが形成されており、当該記録再生トラックに対して記録再生情報の記録及び再生の双方が可能な記録再生領域と、を有し、前記再生トラックは、前記色素膜により前記記録再生トラックの高さと同一の高さにて形成された色素ピットが、前記再生情報に対応して前記照射方向に対して凸状に複数個並んで配置されることにより形成され、照射される前記再生パワーの光ビームに対する反射率を前記色素ピットの有無により変化させて前記再生情報を再生すると共に、前記再生専用領域に対して記録パワーの光ビームを照射することにより、前記色素ピットにおける前記再生パワーの光ビームの反射率を変更した状態にて前記再生情報が再生される色素記録媒体に記録されている前記再生情報を再生する情報再生装置であって、前記再生情報の再生前に前記再生専用領域の全ての前記色素ピットに対して前記記録パワーの事前光ビームを照射し、夫々の前記色素ピットにおける前記反射率を変化させる事前光ビーム照射手段と、前記反射率が変化した色素ピットに対して前記再生パワーの光ビームを照射する再生光ビーム照射手段と、前記再生パワーの光ビームの前記再生トラックからの反射光を受光して受光信号を生成する受光手段と、前記受光信号に基づいて前記再生情報を再生する再生手段と、を備える。
【００１３】
請求項４に記載の発明は、再生トラックが形成されると共に、記録されている再生情報の再生のみが可能な再生専用領域と、照射された再生パワーの光ビームに対する反射率を一回のみ変更可能な色素膜により、当該光ビームの照射方向に対して凸状の記録再生トラックが形成されており、当該記録再生トラックに対して記録再生情報の記録及び再生の双方が可能な記録再生領域と、を有し、前記再生トラックは、前記色素膜により前記記録再生トラックの高さと同一の高さにて形成された色素ピットが、前記再生情報に対応して前記照射方向に対して凸状に複数個並んで配置されることにより形成され、照射される前記再生パワーの光ビームに対する反射率を前記色素ピットの有無により変化させて前記再生情報を再生すると共に、前記再生専用領域に対して記録パワーの光ビームを照射することにより、前記色素ピットにおける前記再生パワーの光ビームの反射率を変更した状態にて前記再生情報が再生される色素記録媒体に記録されている前記再生情報を再生する情報再生方法であって、前記再生情報の再生前に前記再生専用領域の全ての前記色素ピットに対して前記記録パワーの事前光ビームを照射し、夫々の前記色素ピットにおける前記反射率を変化させる事前光ビーム照射工程と、前記反射率が変化した色素ピットに対して前記再生パワーの光ビームを照射する再生光ビーム照射工程と、前記再生パワーの光ビームの前記再生トラックからの反射光を受光して受光信号を生成する受光工程と、前記受光信号に基づいて前記再生情報を再生する再生工程と、を備える。
【００４１】
【発明の実施の形態】
次に、本発明に好適な実施の形態について説明する。なお、以下に示す実施の形態は、情報の再生のみが可能な再生専用領域（以下、ＲＯＭ（Read Only Memory）領域という。）と、情報の一回のみの記録と複数回の再生が可能な記録再生領域（以下、追記領域という。）とを備えた色素記録媒体としての上記ハイブリッドディスク及び当該ハイブリッドディスクの製造時においてＲＯＭ領域に情報を記録するためのいわゆるカッティング装置並びにハイブリッドディスクに対して情報の記録再生を行う情報記録再生装置に対して本発明を適用した実施の形態である。
【００４２】
（Ｉ）ハイブリッドディスクの実施の形態
始めに、本発明に係るハイブリッドディスクの実施形態について、図１乃至図４を用いて説明する。なお、図１はハイブリッドディスクの全体構成を示す平面図であり、図２は上記追記領域の形状等を示す拡大図であり、図３は追記領域に記録される情報のフォーマット等を示す図であり、図４は上記ＲＯＭ領域の形状等を示す拡大図である。
【００４３】
先ず、ハイブリッドディスクの全体構成について、図１を用いて説明する。
【００４４】
図１に示すように、実施形態のハイブリッドディスク１は、ハイブリッドディスク１の回転時において当該ハイブリッドディスク１を固定するためのクランプ孔ＣＨと、リードインエリアＬＩと、ＲＯＭ領域ＲＯと、追記領域ＲＰと、リードアウトエリアＬＯを備えている。この構成において、リードインエリアＬＩ及びリードアウトエリアＬＯには、ハイブリッドディスク１に記録されている情報を自動再生等するための情報が記録されており、例えば、リードインエリアＬＩには、ハイブリッドディスク１がＲＯＭ領域ＲＯ及び追記領域ＲＰを備えたハイブリッドディスクであるのか、又は通常のＣＤ（ＣＤ−ＲＯＭである場合を含む。）であるかを示す、いわゆるＴＯＣ（Table Of Contents）情報等が記録されている。また、実際に情報が記録されているＲＯＭ領域ＲＯの記憶容量と追記される追記領域ＲＰの記録容量との総計は、近年一般化しつつあるＤＶＤと同等（約５ギガバイト）程度である。更に、クランプ孔ＣＨとリードインエリアＬＩとの間の領域は、通常は情報が何も記録されない領域である。
【００４５】
次に、上記追記領域ＲＰの細部構造について、図２及び図３を用いて説明する。
【００４６】
図２において、追記領域ＲＰは色素膜５を備えた一回のみ情報の書込みが可能な色素記録媒体として形成されており、記録再生トラックとしてのグルーブトラック２と当該グルーブトラック２に再生光又は記録光としてのレーザビーム等の光ビームＢを誘導するためのランドトラック３が形成されている。また、それらを保護するための保護膜７及び記録された情報を再生する際に光ビームＢを反射するための金蒸着面６を備えている。そして、このランドトラック３にプリ情報に対応するプリピット４が形成されている。このプリピット４はハイブリッドディスク１を出荷する前に予め形成されているものである。
【００４７】
ここで、プリピット４を形成して記録されているプリ情報は、追記領域ＲＰに対する情報の記録再生の際に当該ハイブリッドディスク１の回転を制御するための回転制御情報及び情報の記録の際に検出される当該情報を記録すべき追記領域ＲＰ内の位置を示すアドレス情報等が含まれている。
【００４８】
更に、当該追記領域ＲＰにおいては、グルーブトラック２をハイブリッドディスク１の回転速度に対応する周波数でウォブリングさせて上記回転制御情報を記録している。このグルーブトラック２のウォブリングによる回転制御情報の記録は、上記プリピット４と同様に、ハイブリッドディスク１を出荷する前に予め実行されるものである。
【００４９】
そして、追記領域ＲＰに記録情報（プリ情報以外の本来記録すべき画像情報等の情報をいう。以下同じ。）を記録する際には、後述の情報記録再生装置においてグルーブトラック２のウォブリングの周波数を検出することにより回転制御情報を取得してハイブリッドディスク１を所定の回転速度で回転制御すると共に、プリピット４を検出することにより予めプリ情報を取得し、それに基づいて記録光としての光ビームＢの最適出力等が設定されると共に上記アドレス情報等が取得され、このアドレス情報に基づいて記録情報が対応する追記領域ＲＰ中の記録位置に記録される。
【００５０】
ここで、記録情報の記録時には、光ビームＢをその中心がグルーブトラック２の中心と一致するように照射してグルーブトラック２上に記録情報に対応する記録情報ピットを形成することにより記録情報を形成する。この時、光スポットＳＰの大きさは、図２に示すように、その一部がグルーブトラック２だけでなくランドトラック３にも照射されるように設定される。そして、このランドトラック３に照射された光スポットＳＰの一部の反射光を用いてプッシュプル法（ハイブリッドディスク１の回転方向に平行な分割線により分割された光検出器を用いたプッシュプル法（以下、ラジアルプッシュプル方式という。））によりプリピット４からプリ情報を検出して当該プリ情報が取得されると共に、グルーブトラック２に照射されている光スポットＳＰの反射光を用いてグルーブトラック２からウォブリング信号が検出されて回転制御用のクロック信号が取得される。
【００５１】
次に、追記領域ＲＰに予め記録されているプリ情報並びに追記される記録情報の記録フォーマットについて、図３を用いて説明する。なお、図３において、上段は記録情報における記録フォーマットを示し、下段の波型波形は当該記録情報を記録するグルーブトラック２のウォブリング状態（グルーブトラック２の平面図）を示し、記録情報とグルーブトラック２のウォブリング状態の間の上向き矢印は、プリピット４が形成される位置を模式的に示すものである。ここで、図３においては、グルーブトラック２のウォブリング状態は、理解の容易のため実際の振幅よりも大きい振幅を用いて示してあり、記録情報は当該グルーブトラック２の中心線上に記録される。
【００５２】
図３に示すように、追記領域ＲＰに記録される記録情報は、予め情報単位としてのシンクフレーム毎に分割されている。そして、２６のシンクフレームにより一のレコーディングセクタが形成され、更に、１６のレコーディングセクタにより一のＥＣＣ（Error Correcting Code ）ブロックが形成される。なお、一のシンクフレームは、上記記録情報を記録する際の記録フォーマットにより規定されるビット間隔に対応する単位長さ（以下、Ｔという。）の１４８８倍（１４８８Ｔ）の長さを有しており、更に、一のシンクフレームの先頭の１４Ｔの長さの部分にはシンクフレーム毎の同期を取るための同期情報ＳＹが記録される。
【００５３】
一方、追記領域ＲＰに記録されているプリ情報は、シンクフレーム毎に記録されている。ここで、プリピット４によるプリ情報の記録においては、記録情報内の夫々のシンクフレームにおける同期情報ＳＹが記録される領域に隣接するランドトラック３上にプリ情報における同期信号を示すものとして必ず一のプリピット４が形成されると共に、当該同期情報ＳＹ以外の当該シンクフレーム内の前半部分に隣接するランドトラック３上に記録すべきプリ情報の内容（アドレス情報）を示すものとして二又は一のプリピット４が形成される（なお、同期情報ＳＹ以外の当該シンクフレーム内の前半部分については、記録すべきプリ情報の内容によってはプリピット４が形成されない場合もある。）。この際、本実施形態においては、一のレコーディングセクタにおいては、偶数番目のシンクフレーム（以下、ＥＶＥＮフレームという。）のみ又は奇数番目のシンクフレーム（以下、ＯＤＤフレームという。）のみにプリピット４が形成されてプリ情報が記録される。すなわち、図３において、ＥＶＥＮフレームにプリピット４が形成された場合には（図３において実線上向き矢印で示す。）それに隣接するＯＤＤフレームにはプリピット４は形成されない。
【００５４】
一方、グルーブトラック２は、全てのシンクフレームに渡って１４０ｋＨｚ（一のシンクフレームが８波に相当する周波数）の一定ウォブリング周波数ｆ0でウォブリングされている。そして、後述の情報記録再生装置において、当該一定のウォブリング周波数ｆ0を検出することでスピンドルモータの回転制御のための信号が検出される。
【００５５】
次に、上記ＲＯＭ領域ＲＯの細部構造について、図４を用いて説明する。
【００５６】
図４に示すように、ＲＯＭ領域ＲＯにおいても、上記追記領域ＲＰと同様なランドトラック３’及びグルーブトラック２’が形成されている。このうち、グルーブトラック２’は、追記領域ＲＰにおけるグルーブトラック２と同様の色素膜５により形成されており、更に、グルーブトラック２’の高さとグルーブトラック２の高さとが同一となるように形成されている。
【００５７】
更に、グルーブトラック２’は、上記色素膜５よりなる色素ピットＰがトラック毎に複数個並んで形成されている。この色素ピットＰは、いわゆるＣＤにおける位相ピットと同様にＲＯＭ領域ＲＯに記録すべき情報に対応した形状（一の色素ピットＰにおいては、その長さが３Ｔから１４Ｔの範囲で記録すべき情報に対応している。）とされている。ここで、一のグルーブトラック２’における二つの色素ピットＰの間の部分の色素膜５は他の部分の色素膜５よりも薄くなっている。更に、二つの色素ピットＰの間の部分並びにランドトラック３’は、上記追記領域ＲＰにおけるランドトラック３のプリピット４以外の部分と同一平面とされている。
【００５８】
一方、色素ピットＰが連続することにより記録されている情報を再生する場合には、図４に示すように光ビームＢを照射し、色素ピットＰが存在する部分と存在しない部分との当該光ビームＢの反射光量の違いを検出して情報が再生される。このとき、本実施形態のハイブリッドディスク１においては、ＲＯＭ領域ＲＯから情報を再生する前に、後述の記録パワー（すなわち、上記追記領域ＲＰにおけるグルーブトラック２に対して記録情報ピットを形成する際の光ビームＢのパワー）で全ての色素ピットＰに対して光ビームＢを照射し、色素ピットＰ（すなわち、色素膜５）の特性を変化させ（より具体的には、その光ビームＢに対する反射率を変化させ）、これにより、その後の実際の再生において色素ピットＰが存在する部分のグルーブトラック２’の反射率と色素ピットＰが存在しない部分の反射率とを異ならせることにより、光ビームＢの反射光に基づいて情報が再生される。
【００５９】
なお、図４に示すグルーブトラック２’においては、再生に当たって回転制御情報等を読み出す必要はないので、追記領域ＲＰにおける上述のグルーブトラック２のようなウォブリングが施されていないと共に、プリピット４も形成されていない。
【００６０】
（II）カッティング装置の実施形態
次に、追記領域ＲＰ及びＲＯＭ領域ＲＯを夫々図２及び図４に示す形状に形成するためのカッティング装置について、図５を用いて説明する。
【００６１】
初めに、実施形態に係るカッティング装置の構成について説明する。なお、図５に示すカッティング装置は、上記ハイブリッドディスク１を大量生産するためのスタンパディスクを製作するためのものである。
【００６２】
図５に示すように、実施形態のカッティング装置Ｃは、データ発生部１０及び２０と、８−１６変調部１１と、パラレル／シリアル変換器１２及び２１と、プリフォーマット用エンコーダ２２と、クロック信号発生部２３と、レーザ発生装置２４と、変調手段、形成手段としての光変調器２５と、形成手段としての対物レンズ２６と、移動手段としてのスピンドルモータ２９と、回転検出器３０と、回転サーボ回路３１と、送りユニット３２と、位置検出器３３と、サーボ回路３４とにより構成されている。更に、レーザ発生装置２４は、グルーブトラック２又は２’を形成するための光ビームＬGを出射する出射装置２４Ｇと、ランドトラック３又は３’を形成するための光ビームＬLを出射する出射装置２４Ｌとにより構成されている。
【００６３】
一方、スタンパディスクは、スタンパディスク本体としてのガラス基盤２７と、ガラス基盤上にコーティングされた各トラック等を形成するためのレジスト（感光材）２８とにより構成されている。
【００６４】
次に、各部の動作を説明する。
【００６５】
始めに、ＲＯＭ領域ＲＯを形成する際の動作について説明する。
【００６６】
スタンパディスク上にＲＯＭ領域ＲＯを形成する際には、同時に当該ＲＯＭ領域ＲＯに記録すべき情報に対応する色素ピットＰに相当するピット（スタンパディスク上ではレジスト２８がカッティングされることにより当該ピットが形成されることとなる。）が形成されるわけであるが、この際に当該情報に対応するデータ情報Ｓprはデータ発生部１０において生成される。そして、８−１６変調部１１において、クロック信号発生部２３から出力されるクロック信号ＣＬＫ（周期は上記Ｔとされている。）に基づき当該データ情報Ｓprに対して８−１６変調及び上記ＥＣＣブロックの形成が施され、パラレル／シリアル変換器１２においてパラレル／シリアル変換された後、記録情報Ｓrrとして光変調器２５に出力される。
【００６７】
次に、光変調器２５は、入力した記録情報Ｓrrに基づいて光ビームＬGを強度変調して対物レンズ２６に出射する。このとき、当該記録情報Ｓrrは上記データ情報Ｓprに対応した“Ｈ”信号と“Ｌ”信号の組み合わせにより形成されており、例えば、当該“Ｈ”信号が光ビームＬGにおける弱い強度に対応し、当該“Ｌ”信号が光ビームＬGにおける強い強度に対応している。そして、このように強度変調された光ビームＬGがレジスト２８に照射されることにより、色素ピット５に対応するピットがレジスト２８上に形成される。
【００６８】
一方、光ビームＬLについては、ランドトラック３’を形成する際には、図示しないＤＣ（直流）駆動装置により一定の強度が保たれて対物レンズ２６に出射される。
【００６９】
そして、強度変調された光ビームＬGと一定強度の光ビームＬLが同時に対物レンズから出射され、レジスト２８上のＲＯＭ領域ＲＯに対応する位置にグルーブトラック２’及びランドトラック３’を形成していく。
【００７０】
このとき、当該光ビームＬGと光ビームＬLの照射と並行して、スピンドルモータ２９はスタンパディスクを回転させる。ここで、スタンパディスクの回転数は回転検出器３０により検出され、その検出された回転数に基づいて、回転サーボ回路３１によりスタンパディスクの回転がサーボ制御される。このとき、回転サーボ回路３１は、スタンパディスクの一回転に一回の一回転検出信号Ｓsをプリフォーマット用エンコーダ２２及びスピンドルモータ２９に出力する。
【００７１】
更に、これと並行して、送りユニット３２は、螺旋状のグルーブトラック２’及びランドトラック３’を形成するために、スタンパディスクの回転に対応してスピンドルモータ２９及びスタンパディスクを当該スタンパディスクの半径方向に送る。このとき、送りユニット３２の位置は位置検出器３３により検出され、検出された送りユニット３２の位置に基づいて送りユニットの移動が送りサーボ回路３４によりサーボ制御される。
【００７２】
以上の各部の動作により、光ビームＬLと光ビームＬGが、照射位置をスタンパディスクの半径方向にずらしつつ照射され、スタンパディスク上のＲＯＭ領域ＲＯに対応する領域に同心螺旋状のグルーブトラック２’及びランドトラック３’が形成される。
【００７３】
次に、追記領域ＲＰを形成する際の動作について説明する。
【００７４】
スタンパディスク上に追記領域ＲＰを形成する際には、グルーブトラック２の形成と同時に当該追記領域ＲＰに記録すべきプリ情報に対応するプリピット４に相当するピットが形成されるわけであるが、この際に当該プリ情報に対応するデータプリ情報Ｓppはデータ発生部２０において生成される。そして、パラレル／シリアル変換器２１において、当該データプリ情報Ｓppがパラレル／シリアル変換される。次に、パラレル／シリアル変換されたデータプリ情報Ｓppは、プリフォーマット用エンコーダ２２において、クロック信号ＣＬＫ及び一回転検出信号Ｓsに基づき、図３に示す記録フォーマットでプリピット４を形成するための記録プリ情報Ｓrに変換され、光変調器２５に出力される。
【００７５】
次に、光変調器２５は、入力した記録プリ情報Ｓrに基づいて光ビームＬLを強度変調して対物レンズ２６に出射する。このとき、当該記録プリ情報Ｓrは上記データプリ情報Ｓppに対応した“Ｈ”信号と“Ｌ”信号の組み合わせにより形成されており、例えば、当該“Ｈ”信号が光ビームＬLにおける弱い強度に対応し、当該“Ｌ”信号が光ビームＬLにおける強い強度に対応している。そして、このように強度変調された光ビームＬLがレジスト２８に照射されることにより、プリピット４に対応するピットを有するランドトラック３がレジスト２８上に形成される。
【００７６】
一方、光ビームＬGについては、グルーブトラック２を形成する際には、図示しないＤＣ駆動装置により一定の強度が保たれると共に、当該グルーブトラック２を図２又は図３に示すようにウォブリングさせるべく照射位置が制御されて対物レンズ２６に出射される。
【００７７】
そして、強度変調された光ビームＬLと一定強度で照射位置が制御される光ビームＬGが同時に対物レンズ２６から出射され、レジスト２８上の追記領域ＲＰに対応する位置にグルーブトラック２及びランドトラック３（プリピット４を含む。）を形成していく。
【００７８】
このとき、当該光ビームＬGと光ビームＬLの照射と並行して実行されるスピンドルモータ２９、回転検出器３０、回転サーボ回路３１、送りユニット３２、位置検出器３３及び送りサーボ回路３４の動作は上記ＲＯＭ領域ＲＯを形成する場合とほぼ同様であるので、細部の説明は省略する。なお、回転検出器３０については、プリフォーマット用エンコーダ２２におけるプリフォーマッティングに使用する上記一回転検出信号Ｓsを当該プリフォーマット用エンコーダ２２に出力している。
【００７９】
以上の各部の動作により、光ビームＬLと光ビームＬGが、照射位置をスタンパディスクの半径方向にずらしつつ照射され、スタンパディスク上の追記領域ＲＰに対応する領域に同心螺旋状のグルーブトラック２及びランドトラック３が形成される。
【００８０】
なお、上記の動作において、ＲＯＭ領域ＲＯを形成する際の光ビームＬLの強度（一定強度）と、ＲＯＭ領域ＲＯを形成する際の光ビームＬGの上記“Ｈ”信号に対応する強度と、追記領域ＲＰを形成する際の光ビームＬLの上記“Ｈ”信号に対応する強度とが同一強度とされ、また、ＲＯＭ領域ＲＯを形成する際の光ビームＬGの上記“Ｌ”信号に対応する強度と、追記領域ＲＰを形成する際の光ビームＬGの強度（一定強度）と、追記領域ＲＰを形成する際の光ビームＬLの上記“Ｌ”信号に対応する強度とが同一強度とされる。これにより、スタンパディスク上では、ランドトラック３におけるプリピット４以外の部分とランドトラック３’とグルーブトラック２’における色素ピットＰ以外の部分とが同一平面となり、ランドトラック３におけるプリピット４の部分とグルーブトラック２とグルーブトラック２’における色素ピットＰの部分とが同一平面となる。
【００８１】
以上の動作によりスタンパディスクが製造されると、その後は、従来の大量生産技術を用いて上記スタンパディスクと同様の形状を有するハイブリッドディスク１が製造される。より具体的には、例えば、夫々の光ビームＬL及びＬGにより露光が行われたレジスト２８が現像され、これに導電処理及びニッケル電鋳が施されてニッケルスタンパディスクが完成され、当該ニッケルスタンパディスクを用いていわゆる２Ｐ工法又は射出成形工法によりハイブリッドディスク１（図２に示す形状の追記領域ＲＰ及び図４に示す形状のＲＯＭ領域ＲＯを有する。）が大量製造されるのである。
【００８２】
なお、大量製造されたハイブリッドディスク１においても、ランドトラック３におけるプリピット４以外の部分とランドトラック３’とグルーブトラック２’における色素ピットＰ以外の部分とが同一平面となり、ランドトラック３におけるプリピット４の部分とグルーブトラック２とグルーブトラック２’における色素ピットＰの部分とが同一平面となることはいうまでもない。
【００８３】
（III）情報記録再生装置の実施形態
次に、本発明に係る情報記録再生装置の実施形態について、図６及び図７を用いて説明する。なお、以下に説明する実施形態は、上述の方法により製造されたハイブリッドディスク１に対して情報を追記すると共に、当該ハイブリッドディスク１に記録されている情報を再生する情報記録再生装置に対して本発明を適用した場合の実施の形態である。また、追記領域ＲＰに対する記録情報の追記時には、プリピット４を予め検出することにより追記領域ＲＰ上のアドレス情報を得、これにより記録情報を記録する追記領域ＲＰ上の記録位置を検出して記録するものとする。また、ハイブリッドディスク１の回転制御については、上記グルーブトラック２のウォブリングをウォブリング信号として検出し、当該回転制御のための基準クロックを生成して行われる。
【００８４】
まず、情報記録再生装置の構成について、図６を用いて説明する。
【００８５】
図６に示すように、実施形態の情報記録再生装置Ｓは、事前光ビーム照射手段、再生光ビーム照射手段、受光手段及び記録光ビーム照射手段としてのピックアップ４０と、再生手段としての再生増幅器４１と、再生手段としてのデコーダ４２と、プリピット信号デコーダ４３と、スピンドルモータ４４と、サーボ回路４５と、プロセッサ４６と、エンコーダ４７と、スイッチ４８と、パワー制御回路４９と、レーザ駆動回路５０とにより構成されている。
【００８６】
次に、全体の動作を説明する。
【００８７】
ピックアップ４０は、図示しないレーザダイオード、偏向ビームスプリッタ、対物レンズ、光検出器等を含み、レーザ駆動信号Ｓdlに基づいて光ビームＢをハイブリッドディスク１の色素膜５に照射し、その反射光に基づいて上記プリピット４を検出して記録すべき記録情報を追記領域ＲＰに記録すると共に、ＲＯＭ領域ＲＯに既に記録されている再生情報がある場合には、上記光ビームＢの反射光に基づいて当該再生情報を検出する。
【００８８】
そして、再生増幅器４１は、ピックアップ４０から出力されたプリピット４又は再生情報に対応する情報を含む検出信号Ｓdtを増幅し、プリピット４に対応するプリピット信号Ｓpptを出力すると共に、再生情報に対応する増幅信号Ｓpを出力する。
【００８９】
その後、デコーダ４２は、増幅信号Ｓpに対して８−１６復調及びデインターリーブを施すことにより当該増幅信号Ｓpをデコードし、復調信号Ｓdm及びサーボ復調信号Ｓsdを出力する。
【００９０】
一方、プリピット信号デコーダ４３は、プリピット信号Ｓpptをデコードして復調プリピット信号Ｓpdを出力する。
【００９１】
そして、サーボ回路４５は、復調プリピット信号Ｓpd及びサーボ復調信号Ｓsdに基づいて、ピックアップ４０におけるフォーカスサーボ制御及びトラッキングサーボ制御のためのピックアップサーボ信号Ｓspを出力すると共に、ハイブリッドディスク１を回転させるためのスピンドルモータ４４の回転をサーボ制御するためのスピンドルサーボ信号Ｓssを出力する。
【００９２】
これらと並行して、プロセッサ４６は、外部から入力される記録すべき記録情報に対応した記録情報信号Ｓrsを一時的に記憶して出力すると共に、復調信号Ｓdmに基づいて記録されていた再生情報に対応する再生信号Ｓotを外部に出力し、更に、復調プリピット信号Ｓpdに基づいて後述のスイッチ信号Ｓswを出力する。
【００９３】
更にまた、プロセッサ４６は、ハイブリッドディスク１が情報記録再生装置Ｓに装着されたときは、記録パワーで一定強度の光ビームＢを出射すべく制御信号Ｓrdをパワー制御回路４９に出力する。
【００９４】
そして、エンコーダ４７は、記録情報信号Ｓrsに対してＥＣＣ符号等を付加してＥＣＣブロックを構成すると共に、当該ＥＣＣブロックに対してインターリーブ及び８−１６変調を施し、変調信号Ｓreを出力する。
【００９５】
このとき、スイッチ４８は、変調信号Ｓre又は一定電圧を切り換えて出力信号Ｓpcとして出力する。
【００９６】
そして、パワー制御回路４９は、出力信号Ｓpc及び制御信号Ｓrdに基づいてピックアップ４０内の図示しないレーザダイオードの出力を制御するための駆動信号Ｓdを出力する。
【００９７】
その後、レーザ駆動回路５０は、駆動信号Ｓdに基づいて、実際に上記レーザダイオードを駆動して光ビームＢを出射させるための上記レーザ駆動信号Ｓdlを出力する。
【００９８】
次に、ハイブリッドディスク１における追記領域ＲＰに対して情報を記録する際並びにＲＯＭ領域ＲＯ又は情報が記録された追記領域ＲＰから情報を再生する際の動作について、図６及び図７を用いて説明する。
【００９９】
ハイブリッドディスク１に対して情報を記録再生する際には、始めにハイブリッドディスク１上の上記リードインエリアＬＩに対して光ビームＢが照射され、その反射光に基づいて上記ＴＯＣ情報が読み出される（ステップＳ１）。なお、ステップＳ１におけるＴＯＣ情報の読み出しは、上記プリピット４を検出する際と同様にラジアルプッシュプル法を用いて読み出される。そして、読み出されたＴＯＣ情報に基づいて、現在装着されている光ディスクが、ハイブリッドディスク１か又は通常のＣＤ等の再生専用ディスクかが判定される（ステップＳ２）。そして、再生専用ディスクであるときは（ステップＳ２；ＮＯ）、次に、再生開始か否かがプロセッサ８において外部からの指示信号等に基づいて判定され（ステップＳ３）、再生開始が指示されないときは（ステップＳ３；ＮＯ）されるまで待機し、指示されたときは（ステップＳ３；ＹＥＳ）、次に、プロセッサ４６からのスイッチ信号Ｓswに基づいてスイッチ４８を定電圧側（図６中Ｂ側）に切り換える。このとき、当該定電圧は、再生専用ディスクからの情報を再生すべく、光ビームＢの出力パワーを上記記録パワーより弱い一定の再生パワーとするための電圧である。そして、当該定電圧に対応する出力信号Ｓpcがスイッチ４８から出力され、当該出力信号Ｓpcに基づいて駆動信号Ｓd及びレーザ駆動信号Ｓdlが生成されてピックアップ内のレーザダイオードが駆動され、再生パワーの光ビームＢが出射されて当該再生専用ディスク上の情報が検出され、当該検出された情報に基づく復調信号Ｓdmがプロセッサ４６を介して再生信号Ｓotとしてを外部に出力される（ステップＳ８）。
【０１００】
一方、ステップＳ２の判定において、装着されているディスクがハイブリッドディスク１であるときは（ステップＳ２；ＹＥＳ）、次に、ピックアップ４０がＲＯＭ領域ＲＯの開始位置（図１に示すハイブリッドディスク１の場合には、ＲＯＭ領域ＲＯの最内周部）に移動され（ステップＳ４）、次に、プロセッサ４６からの制御信号Ｓrdに基づいて駆動信号Ｓdが出力され、記録パワーの光ビームＢがＲＯＭ領域ＲＯ全体に渡って照射される（ステップＳ５）。これにより、ＲＯＭ領域ＲＯ内の色素ピットＰの特性（光ビームＢに対する反射率）が変化してＲＯＭ領域ＲＯに記録されている再生情報が再生可能となる。
【０１０１】
次に、ＲＯＭ領域ＲＯへの記録パワーの光ビームＢの照射が終了したが否かが判定され（ステップＳ６）終了していないときは（ステップＳ６；ＮＯ）そのまま照射を継続し、終了しているときは（ステップＳ６；ＹＥＳ）、次に、ハイブリッドディスク１に対して情報の記録が行われるか又は再生情報の再生が実行されるか否かがプロセッサ４６において判定され（ステップＳ７）、追記領域に対して記録情報の記録を行うときには、スイッチ信号Ｓswに基づいてスイッチ４８が変調信号Ｓre側（図６中Ａ側）に切り換えられ、変調信号Ｓreがそのまま出力信号Ｓpcとしてパワー制御回路４９に出力される。そして、当該パワー制御回路４９及びレーザ駆動回路５０の動作により、変調信号Ｓre（出力信号Ｓpc）におけるグルーブトラック２に記録情報ピットを形成すべきタイミングでは記録パワーに対応する光ビームＢが出射されてグルーブトラック２に照射され、変調信号Ｓreにおける記録情報ピットを形成しないタイミングでは上記再生パワー（グルーブトラック２における色素膜５の反射率が変化しない程度の強度）に対応する光ビームＢが出射されてグルーブトラック２に照射され、これらにより、変調信号Ｓreに対応する情報が追記領域のグルーブトラック２に記録される。なお、このとき、プリピット４及びグルーブトラック２のウォブリングが読み取られてハイブリッドディスク１の回転制御及びアドレス情報の取得が行われつつ情報の記録がプロセッサ４６により制御される（ステップＳ９）。
【０１０２】
一方、ステップＳ７の判定において、追記領域ＲＰに記録されている情報又はＲＯＭ領域ＲＯに記録されている再生情報を再生する場合には、上述のステップＳ８の動作と同様に、プロセッサ４６からのスイッチ信号Ｓswに基づいてスイッチ４８を定電圧側（図６中Ｂ側）に切り換えて上記再生パワーの光ビームＢを出射し、夫々の領域から情報が検出され、再生信号Ｓotが出力される（ステップＳ８）。
【０１０３】
以上説明した動作により、ハイブリッドディスク１に対する情報の記録再生が行われる。
【０１０４】
以上説明したように、実施形態のハイブリッドディスク１、カッティング装置Ｃ又は情報記録再生装置Ｓの動作によれば、ＲＯＭ領域ＲＯにおけるグルーブトラック２’が、再生情報に対応した形状を備える複数種類の色素ピットＰであって、当該色素ピットＰの有無により光ビームＢの反射率に変化を生じさせる色素ピットＰが連続することにより形成されていると共に、当該色素ピットＰと追記領域ＲＰにおけるグルーブトラック２とが同一の色素材料により形成されており、更に、当該色素ピットＰの高さと当該グルーブトラック２の高さとが同一とされているので、ハイブリッドディスク１を製造する際にグルーブトラック２’とグルーブトラック２とを同一の工程内で形成することができ、当該製造工程を簡略化して容易にハイブリッドディスク１を製造できる。
【０１０５】
また、グルーブトラック２’が再生情報に対応した形状を備える複数種類の色素ピットＰが連続することにより形成されているので、再生情報を確実に再生することができる。
【０１０６】
更に、再生情報の再生前に色素ピットＰの全てに対して記録パワーの光ビームＢを照射し、夫々の色素ピットＰにおける光ビームＢに対する反射率を変化させ、次に、反射率が変化した色素ピットＰに対して情報再生用の光ビームＢを照射して再生情報を再生するので、ハイブリッドディスク１から確実に再生情報を再生することができる。
【０１０７】
更にまた、グルーブトラック２に対して変調された光ビームＢを照射し、当該光ビームＢが照射された位置におけるグルーブトラック２の光ビームＢに対する反射率を変化させて記録情報を記録するので、ＲＯＭ領域ＲＯに記録されている再生情報と追記領域ＲＰに記録された記録情報とを同一の光ビームＢで再生することができる。
【０１０８】
また、記録パワーの光ビームＢを照射して色素ピットＰの特性を変化させるので、情報記録再生装置Ｓの構成を簡略化できる。
【０１０９】
なお、上述の実施形態においては、情報記録再生装置Ｓにハイブリッドディスク１が装着されたときに色素ピットＰに対して記録パワーの光ビームを照射するようにしたが、この他に、ハイブリッドディスク１の出荷時においてＲＯＭ領域ＲＯに対して記録パワーの光ビームを照射して色素ピット５の特性を変化させ、ＲＯＭ領域ＲＯからの情報再生を可能としてから出荷してもよい。
【０１１０】
また、図７ステップＳ５において照射される光ビームＢの強度は、上記記録パワーに限るものではなく、ＲＯＭ領域ＲＯ内の色素ピットＰの反射率が変化してＲＯＭ領域ＲＯに記録されている再生情報が再生パワーの光ビームＢの照射により再生可能となるパワーであれば、記録パワー未満の強度であってもよい。
【０１１１】
【発明の効果】
以上説明したように、本発明によれば、色素記録媒体として、再生専用領域に形成された再生トラック内に、記録再生トラックと同一の色素膜により形成された色素ピットが、前記再生情報に対応して前記照射方向に対して凸状に複数個並んで配置されることにより形成されている。そして、照射される再生パワーの光ビームに対する反射率を色素ピットの有無により変化させて再生情報が再生されると共に、色素ピットと記録再生トラックの高さとが同一の高さにて形成された構成となっている。よって、色素記録媒体を製造する際に再生トラックと記録再生トラックとを同一の工程内で形成することができるので、当該製造工程を簡略化して容易に色素記録媒体を製造できる。
また、本発明に係る情報再生装置／情報再生方法においては、再生専用領域に対して記録パワーの光ビームを事前に照射することにより、再生パワーの光ビームに対する当該色素ピットの反射率を変更した状態にて、再生情報が再生される。このため、記録再生トラックにおいて、例えば、トラッキング制御に適したトラックの高さ（λ／８）を採用した場合であっても、再生トラックの再生時におけるＲＦ信号のレベルを確保し、再生情報を確実に再生することが可能となる。
【０１１２】
請求項２に記載の発明によれば、再生情報の再生前に再生領域の全ての色素ピットに対して記録パワーの事前光ビームを照射し、色素ピットにおける再生パワーの光ビームに対する反射率を変化させ、次に、反射率が変化した色素ピットに対して再生パワーの光ビームを照射して再生情報を再生するので、事前光ビームの照射により再生パワーの光ビーム対する反射率が変化する色素ピットにより再生情報が記録されている色素記録媒体から確実に再生情報を再生することができる。例えば、記録再生トラックにおけるトラッキング制御に適したトラックの高さ（λ／８）を採用した場合であっても、再生トラックの再生時におけるＲＦ信号のレベルを確保し、再生情報を確実に再生することが可能となるのである。
【０１１３】
請求項４に記載の発明によれば、請求項２に記載の発明の効果に加えて、光ビーム照射手段が、記録再生トラックに対して変調された記録パワーの光ビームを照射し、当該光ビームが照射された位置における再生パワーの光ビームに対する記録再生トラックの反射率を変化させて記録再生情報を記録する。
【０１１４】
請求項５に記載の発明によれば、再生情報の再生前に再生領域の全ての色素ピットに対して記録パワーの事前光ビームを照射し、色素ピットにおける再生パワーの光ビームに対する反射率を変化させ、次に、反射率が変化した色素ピットに対して再生パワーの光ビームを照射して再生情報を再生するので、事前光ビームの照射により再生パワーの光ビームに対する反射率が変化する色素ピットにより再生情報が記録されている色素記録媒体から確実に再生情報を再生することができる。
【図面の簡単な説明】
【図１】ハイブリッドディスクの全体構成を示す平面図である。
【図２】ハイブリッドディスクの追記領域の構成を示す斜視図である。
【図３】追記領域における記録フォーマットの一例を示す図である。
【図４】ハイブリッドディスクのＲＯＭ領域の構成を示す斜視図である。
【図５】実施形態のカッティング装置の概要構成を示す図である。
【図６】実施形態の情報記録再生装置の概要構成を示すブロック図である。
【図７】情報記録再生装置の動作を示すフローチャートである。
【符号の説明】
１…ハイブリッドディスク
２、２’…グルーブトラック
３、３’…ランドトラック
４…プリピット
５…色素膜
６…金蒸着膜
７…保護膜
１０、２０…データ発生部
１１…８−１６変調部
１２、２１…パラレル／シリアル変換器
２２…プリフォーマット用エンコーダ
２３…クロック信号発生部
２４…レーザ発生装置
２４Ｇ、２４Ｌ…出射装置
２５…光変調器
２６…対物レンズ
２７…ガラス基板
２８…レジスト
２９、４４…スピンドルモータ
３０…回転検出器
３１…回転サーボ
３２…送りユニット
３３…位置検出器
３４…送りサーボ
４０…ピックアップ
４１…再生増幅器
４２…デコーダ
４３…プリピット信号デコーダ
４５…サーボ回路
４６…プロセッサ
４７…エンコーダ
４８…スイッチ
４９…パワー制御回路
５０…レーザ駆動回路
Ｂ、ＬL、ＬG…光ビーム
Ｃ…カッティング装置
Ｓ…情報記録再生装置
Ｐ…色素ピット
ＣＨ…クランプ孔
ＬＩ…リードインエリア
ＲＯ…ＲＯＭ領域
ＲＰ…追記領域
ＬＯ…リードアウトエリア
ＳＰ…光スポット
ＳＹ…同期信号
Ｓpr…データ情報
Ｓrr…記録情報
Ｓpp…データプリ情報
Ｓr…記録プリ情報
Ｓs…一回転検出信号
Ｓrs…記録情報信号
Ｓsw…スイッチ信号
Ｓre…変調信号
Ｓpc…出力信号
Ｓd…駆動信号
Ｓdl…レーザ駆動信号
Ｓot…再生信号
Ｓdt…検出信号
Ｓp…増幅信号
Ｓppt…プリピット信号
Ｓdm…復調信号
Ｓsd…サーボ復調信号
Ｓpd…復調プリピット信号
Ｓsp…ピックアップサーボ信号
Ｓss…スピンドルサーボ信号
Ｓrd…制御信号
【図１】
0004014690.tif 000002
【図２】
0004014690.tif 000003
【図３】
0004014690.tif 000004
【図４】
0004014690.tif 000005
【図５】
0004014690.tif 000006
【図６】
0004014690.tif 000007
【図７】
0004014690.tif 000008